(57)【要約】【課題】データファイルを他のデバイスや可搬記憶媒体に転送する技術に関し、特に縷々転々とするデータファイルが外部に漏洩した場合に、その漏洩経路を簡便に特定する技術を提供する。【解決手段】ネットワーク上の他のデバイスや可搬記憶媒体等の他の媒体へ医用画像の転送が指示されると、転送する医用画像に、転送指示内容に対応する転送履歴情報を付帯させ、転送履歴情報が付帯した医用画像を他の媒体へ転送する。【選択図】図１
2007141143.tif 000002
【特許請求の範囲】
【請求項１】
他の媒体への医用画像の転送が指示されると、転送すべき医用画像に、転送指示内容に対応する転送履歴情報を付帯させる書込手段と、
転送履歴情報が付帯され医用画像を他の媒体へ転送する転送手段と、
を備えること、
を特徴とする画像転送装置。
【請求項２】
前記書込手段は、過去の転送履歴情報が付帯されている場合には、前記指示内容に対応する転送履歴情報を追加すること、
を特徴とする請求項１記載の画像転送装置。
【請求項３】
前記転送履歴情報は、転送日時と操作者アカウントと操作装置情報とを含むこと、
を特徴とする請求項１記載の画像転送装置。
【請求項４】
前記転送履歴情報は、転送日時と操作者アカウントと操作装置情報と転送種別情報とを含み、
前記転送種別情報は、ネットワーク転送を示すこと、
を特徴とする請求項１記載の画像転送装置。
【請求項５】
前記転送履歴情報は、転送日時と操作者アカウントと操作装置情報と転送種別情報とを含み、
前記転送種別情報は、可搬記憶媒体への出力を示すこと、
を特徴とする請求項１記載の画像転送装置。
【請求項６】
医用画像を撮影する撮影手段と、
撮影した医用画像の他の媒体への転送が指示されると、転送すべき医用画像に、転送指示内容に対応する転送履歴情報を付帯させる書込手段と、
転送履歴情報が付帯された医用画像を他の媒体へ転送する転送手段と、
を備えること、
を特徴とする画像診断装置。
【請求項７】
医用画像をデータベース化するデータベースマネージメントシステムと、
データベース化された医用画像を記憶する記憶手段と、
記憶している医用画像の他の媒体への転送が指示されると、転送すべき医用画像に、転送指示内容に対応する転送履歴情報を付帯させる書込手段と、
転送履歴情報が付帯された医用画像を他の媒体へ転送する転送手段と、
を備えること、
を特徴とする画像管理サーバ。
【請求項８】
医用画像を他の媒体から取得する取得手段と、
取得した医用画像を表示する表示手段と、
取得した医用画像の他の媒体への転送が指示されると、転送すべき医用画像に、転送指示内容に対応する転送履歴情報を付帯させる書込手段と、
転送履歴情報が付帯された医用画像を他の媒体へ転送する転送手段と、
を備えること、
を特徴とする画像表示装置。
【発明の詳細な説明】
【技術分野】
【０００１】
本発明は、画像を他のデバイスや可搬記憶媒体に転送する技術に関し、特に他のデバイスや可搬記憶媒体を縷々転々とする画像が外部に漏洩した場合の漏洩経路を簡便に特定する技術に関する。
【背景技術】
【０００２】
一般的に、コンピュータには、その利用状況をログとして記録し、一定期間保存する機能がある（例えば、「特許文献１」参照。）。利用状況として記録されるログは、例えば、ログインした利用者のアカウント、ネットワークを介してログインしてきたデバイスの装置名やＩＰアドレス、参照ファイル名、コンピュータが行った処理内容、そのログインや処理の成否等である。このログは、コンピュータのエラーや不正アクセス発見のために分析され、監査証拠となり、再発防止策の策定に役立てられる。不正アクセスの分析では、漏洩の有無や範囲、改竄の有無や範囲、侵入経路を特定するためにも利用される。
【０００３】
病院内で稼働するネットワークにおいても、画像診断装置、画像管理サーバ、画像表示装置等のネットワークに接続された各装置で利用状況のログが採取される。病院内で扱う医用画像は、特に重要な個人情報である。この医用画像が万一にも外部に漏洩した場合は、その対処を迅速に行わなければならない。
【０００４】
【特許文献１】特開平６−３２４７７９号公報
【発明の開示】
【発明が解決しようとする課題】
【０００５】
しかし、病院はその規模に応じて非常に多くの医用画像を保有する。保有する医用画像が日々ネットワークを通じて病院内の各コンピュータに転送され、医療に供する。万一医用画像等のファイルが外部に漏洩した場合、ネットワーク上の全コンピュータのログを分析して、漏洩した医用画像の範囲を特定し、漏洩経路をたどる作業を行わなければならない。この作業は、病院内のネットワークが巨大になればなるほど膨大な作業量になる。従って、現状では、漏洩経路の特定、漏洩事実に基づく責任追及、漏洩した医用画像の範囲の特定等を速やかに実現することは困難である。
【０００６】
本発明は、以上の問題点に鑑みてなされたものであって、その目的は、データファイルを他のデバイスや可搬記憶媒体に転送する技術に関し、特に縷々転々とするデータファイルが外部に漏洩した場合に、その漏洩経路を簡便に特定する技術を提供することにある。
【課題を解決するための手段】
【０００７】
上記課題を解決するための、請求項１記載の発明は、他の媒体への医用画像の転送が指示されると、転送すべき医用画像に、転送指示内容に対応する転送履歴情報を付帯させる書込手段と、転送履歴情報が付帯された医用画像を他の媒体へ転送する転送手段と、を備えること、を特徴とする。
【０００８】
前記書込手段は、過去の転送履歴情報が付帯されている場合には、前記指示内容に対応する転送履歴情報を追加するようにしてもよい（請求項２記載の発明に相当）。
【０００９】
前記転送履歴情報は、転送日時と操作者アカウントと操作装置情報とを含むようにしてもよい（請求項３記載の発明に相当）。
【００１０】
前記転送履歴情報は、転送日時と操作者アカウントと操作装置情報と転送種別情報とを含み、前記転送種別情報は、ネットワーク転送を示すようにしてもよい（請求項４記載の発明に相当）。
【００１１】
前記転送履歴情報は、転送日時と操作者アカウントと操作装置情報と転送種別情報とを含み、前記転送種別情報は、可搬記憶媒体への出力を示すようにしてもよい（請求項５記載の発明に相当）。
【００１２】
上記課題を解決するための、請求項６記載の発明は、医用画像を撮影する撮影手段と、撮影した医用画像の他の媒体への転送が指示されると、転送すべき医用画像に、転送指示内容に対応する転送履歴情報を付帯させる書込手段と、転送履歴情報が付帯された医用画像を他の媒体へ転送する転送手段と、を備えること、を特徴とする。
【００１３】
上記課題を解決するための、請求項７記載の発明は、医用画像をデータベース化するデータベースマネージメントシステムと、データベース化された医用画像を記憶する記憶手段と、記憶している医用画像の他の媒体への転送が指示されると、転送すべき医用画像に、転送指示内容に対応する転送履歴情報を付帯させる書込手段と、転送履歴情報が付帯された医用画像を他の媒体へ転送する転送手段と、を備えること、を特徴とする。
【００１４】
上記課題を解決するための、請求項８記載の発明は、医用画像を他の媒体から取得する取得手段と、取得した医用画像を表示する表示手段と、取得した医用画像の他の媒体への転送が指示されると、転送すべき医用画像に、転送指示内容に対応する転送履歴情報を付帯させる書込手段と、転送履歴情報が付帯された医用画像を他の媒体へ転送する転送手段と、を備えること、を特徴とする。
【発明の効果】
【００１５】
本発明では、医用画像を転送する際に、転送すべき医用画像に転送履歴情報を付帯させる。従って、医用画像が外部に漏洩した場合、漏洩した医用画像の転送履歴情報を分析することで、その漏洩経路を簡便に特定することができ、素早い対処、再発防止策の策定を図ることができる。
【発明を実施するための最良の形態】
【００１６】
以下、本発明に係る実施形態について図１乃至図１１を参照し詳細に説明する。図１は、本実施形態に係る画像転送装置１の構成を示す図である。図２は、本実施形態に係る画像転送装置１で取り扱う医用画像Ｐのデータ構造を示す図である。
【００１７】
本実施形態の画像転送装置１は、医用画像ＰをネットワークＮに接続されたデータ通信可能な他のデバイスや可搬記憶媒体Ｄ等の他の媒体へ転送する。転送する医用画像Ｐには、転送履歴情報ＩｅＦ，ＩｅＳ・・・（以下、特に転送履歴情報を区別しない場合には単に「Ｉｅ」という）を付帯させる。
【００１８】
転送先となる他の媒体としては、病院内ネットワークに接続されてデータ通信可能な各種デバイスがある。例えば、Ｘ線診断装置、ＣＴ装置、ＭＲＩ装置、若しくは超音波診断装置等の画像診断装置や、ＰＡＣＳを構成する画像管理サーバや画像表示装置等の医用画像を管理、加工、表示等する装置である。また、転送先となる他の媒体としては、可搬記憶媒体Ｄがある。可搬記憶媒体Ｄは、持ち運びを前提とした形状及びサイズを有する磁気媒体、光学記憶媒体、半導体記憶媒体等であり、例えばフロッピーディスク（登録商標）、ＣＤ−ＲＡＭ、ＤＶＤ−ＲＡＭ、ＭＯ、ＵＳＢメモリ等である。
【００１９】
医用画像Ｐは、Ｘ線診断装置、ＣＴ装置、ＭＲＩ装置、若しくは超音波診断装置等の画像診断装置によって撮影された被検体内の画像のデータである。医用画像Ｐは、画像データＰｄをデータ本体として、付帯情報ＰＩが付帯したデータ構造を有する。付帯情報ＰＩは、医用画像Ｐの属性を示す情報である。患者ＩＤ（図中Ｉａ）、患者氏名Ｉｂ、患者の生年月日Ｉｃ、患者に対して行った検査についての検査情報Ｉｄ、転送履歴情報Ｉｅ等が、医用画像Ｐの属性を示す情報として付帯情報ＰＩとして付帯する。
【００２０】
転送履歴情報Ｉｅは、画像転送装置１の転送処理に係る処理内容や処理状況の記録である。本実施形態の画像転送装置１は、この転送履歴装置Ｉｅを、医用画像Ｐの付帯情報ＰＩとして、患者氏名Ｉｂ等の医用画像Ｐの属性を示す情報とともに付帯させる。転送履歴情報Ｉｅは、医用画像Ｐが転送されるたびに追加される。例えば、医用画像Ｐの作成元の画像転送装置１が、作成した医用画像Ｐを他のデバイスへ転送する際に、最初の転送履歴情報ＩｅＦを付帯させる。転送されたデバイスの備える画像転送装置１が、受け取った医用画像Ｐをさらに別のデバイスへ転送する際に、２回目の転送履歴情報ＩｅＳを追加する。
【００２１】
医用画像Ｐに転送履歴情報Ｉｅを付帯させて転送する画像転送装置１は、演算制御部（ＣＰＵ）、主記憶部（ＲＡＭ）、外部記憶部（ＨＤＤ）、通信インタフェースカード（ＮＩＣ）、ＤＶＤドライブ等の可搬記憶媒体読書き装置等で構成されるコンピュータを備えている。外部記憶部に格納されたプログラムを主記憶部に展開し、演算制御部でプログラムを解読及び実行し、その実行に伴い通信インタフェースカードや可搬記憶媒体読書き装置が駆動することで、医用画像の他の媒体への転送処理、転送履歴情報Ｉｅの付帯処理を行う。
【００２２】
画像転送装置１は、プログラムを解読及び実行することで、論理的又は物理的に、書込部１０と書込情報取得部１１と書込情報記憶部１２と時計部１３と画像記憶部１４とネットワーク転送部１５と可搬記憶媒体読書き部１６とを備える。
【００２３】
書込部１０は、演算処理部と主記憶部とを含み構成される。この書込部１０は、装置操作者から転送処理を指示されると、医用画像Ｐに当該転送処理に係る転送履歴情報Ｉｅを付帯させる。過去の転送履歴情報Ｉｅが医用画像Ｐに付帯している場合には、当該転送処理に係る転送履歴情報Ｉｅを追加する。装置操作者からの転送指示は、画像転送装置１に接続されている入力装置や、ネットワークＮに接続されているクライアント装置から送出される。転送履歴情報Ｉｅには、転送指示の内容から生成した情報と書込情報取得部１１が取得した情報とを含める。
【００２４】
画像記憶部１４は、主記憶部又は外部記憶部を含み構成される。この画像記憶部１４は、転送指示された医用画像Ｐを含め、複数の医用画像Ｐを記憶する。記憶には、画像転送装置１を含む装置が保有するもの、一時的に外部記憶部等に展開されたものの両方が含まれる。
【００２５】
書込情報記憶部１２は、主記憶部又は外部記憶部を含み構成される。この書込情報記憶部１２は、画像転送装置１を特定する情報や利用状況を示す情報等の転送履歴情報Ｉｅとして書き込まれる情報が記憶されている。画像転送装置１がサーバとして機能している場合、書込情報記憶部１２には、画像転送装置１にログインした他のデバイスを特定する情報や画像転送装置１の利用状況を示す情報が格納されている。これら情報は、画像転送装置１又はログインしている他のデバイスの装置情報ｅ６３、画像転送装置１に直接又はネットワークＮを介してログインしている装置操作者のアカウントｅ９３である。
【００２６】
時計部１３は、画像転送装置１が備える時計ＩＣで構成され、日時を計時する。
【００２７】
書込情報取得部１１は、演算処理部と主記憶部を含み構成される。この書込情報取得部１１は、書込情報記憶部１２から転送履歴情報Ｉｅとして書き込まれる情報を取得する。書込部１０が付帯させる転送履歴情報Ｉｅのうち、書込情報記憶部１２が記憶している装置情報ｅ６３とアカウントｅ９３を取得し、時計部１３から計時している現在日時を日時情報ｅ５３として取得する。
【００２８】
ネットワーク転送部１５は、通信インタフェースカードを含み構成される。このネットワーク転送部１５は、転送履歴情報Ｉｅが付帯された医用画像Ｐを、ネットワークＮを介して他のデバイスへ転送する。また、他のデバイスから、画像転送装置１にログインするためのアカウントｅ９３や装置情報ｅ９３、さらに転送指示等の処理依頼が送信される。転送指示には、転送方法を示す転送種別情報ｅ７３や転送先装置情報ｅ８３が含まれる。転送種別情報ｅ７３や転送先装置情報ｅ８３は、書込部１１により転送履歴情報Ｉｅとして書き込まれ、医用画像Ｐに付帯する、
【００２９】
可搬記憶媒体読書き部１６は、挿入された可搬記憶媒体Ｄに医用画像Ｐを出力する。また、挿入された可搬記憶媒体Ｄから医用画像Ｐを読み込む。
【００３０】
この画像転送装置１では、転送指示があると、書込情報取得部１１が書込情報記憶部１２や時計部１３に存在する転送履歴情報Ｉｅとして書き込むべき情報を取得する。書込部１２は、書込情報取得部１１が取得した情報や転送指示とともに受け取った情報を、画像記憶部１４に記憶されている転送指示の対象となる医用画像Ｐに、転送履歴情報Ｉｅとして付帯させる。
【００３１】
転送履歴情報Ｉｅが付帯した医用画像Ｐは、転送指示の内容に応じてネットワーク転送部１５若しくは可搬記憶媒体読書き部１６に送出される。ネットワーク転送部１５は、転送履歴情報Ｉｅが付帯した医用画像ＰをネットワークＮを介して他のデバイスへ転送し、可搬記憶媒体読書き部１６は、転送履歴情報Ｉｅが付帯した医用画像Ｐを可搬記憶媒体Ｄに出力する。
【００３２】
図３は、書込部１１が医用情報Ｐに付帯させる転送履歴情報Ｉｅを示す図である。書込部１１は、医用画像に転送履歴情報Ｉｅを付帯させる際、転送履歴情報Ｉｅであることを示す要素タグｅ２０と転送履歴情報Ｉｅのデータ長を示す項目長ｅ３０を書込、以下に転送履歴情報Ｉｅを構成する各項目ｅ５０，ｅ６０，ｅ７０，ｅ８０，ｅ９０を含む要素値ｅ４０を書き込む。
【００３３】
各項目ｅ５０，ｅ６０，ｅ７０，ｅ８０，ｅ９０には、操作日時情報ｅ５３、操作装置情報ｅ６３、転送種別情報ｅ７３、転送先装置情報ｅ８３、アカウント情報ｅ９３がそれぞれ書き込まれる。
【００３４】
さらに各項目ｅ５０，ｅ６０，ｅ７０，ｅ８０，ｅ９０には、書き込まれる情報の内容を特定する情報として、操作日時タグｅ５１と操作日時情報ｅ５３のデータ長を示す項目長ｅ５２、操作装置タグｅ６１と操作装置情報ｅ６３のデータ長を示す項目長ｅ６２、転送種別タグｅ７１と転送種別情報ｅ７３のデータ長を示す項目長ｅ７２、転送先装置タグｅ８１と転送先装置情報ｅ８３のデータ長を示す項目長ｅ８２、アカウントタグｅ９１とアカウント情報ｅ９３のデータ長を示す項目長ｅ９２が書き込まれる。
【００３５】
操作日時情報ｅ５２は、転送指示の際に書込情報取得部１１が時計部１３から取得した日時である。
【００３６】
操作装置情報ｅ６３は、書込情報取得部１１が書込情報記憶部１２から取得した装置情報である。装置操作者が画像転送装置１を直接操作して転送指示した場合、操作装置情報ｅ６３は、画像転送装置１の装置情報であり、書込情報記憶部１２に予め記憶されている。画像転送装置１がネットワーク上のサーバとして機能している場合には、操作装置情報ｅ６３は、クライアント装置の装置情報であり、画像転送装置１へのログオン時に採取され、書込情報記憶部１２に記憶されている。
【００３７】
転送種別情報ｅ７３は、ネットワークを介して他のデータ通信可能な装置へ転送されるネットワーク転送を示す情報、若しくは可搬記憶媒体への出力を示す情報である。装置操作者が画像転送装置１を直接操作して転送指示した場合、転送種別情報ｅ７３は、装置操作者が操作する入力装置が操作に応じて出力する信号として書込部１１に取得される。画像転送装置１がネットワーク上のサーバとして機能している場合には、転送種別情報ｅ７３は、クライアント装置から転送を指示する情報として送信され、書込部１１に取得される。
【００３８】
転送先装置情報ｅ８３は、転送先の装置を示す情報であり、クライアント装置から転送を指示する情報として送信され、書込部１１に取得される。ネットワーク転送でネットワーク上の他の装置へ医用画像Ｐを送信する場合に書き込まれる。
【００３９】
アカウント情報ｅ９３は、利用者ＩＤであり、書込情報取得部１１が書込情報記憶部１２から取得する。装置操作者が画像転送装置１を直接操作して転送指示した場合、アカウント情報ｅ９３は、画像転送装置１の装置情報であり、書込情報記憶部１２に予め記憶されている。画像転送装置１がネットワーク上のサーバとして機能している場合には、アカウント情報ｅ９３は、クライアント装置の装置情報であり、画像転送装置１へのログオン時に採取され、書込情報記憶部１２に記憶されている。
【００４０】
図４は、画像転送装置１の転送処理を示すフローチャート図である。画像転送装置１は、転送を指示されると（Ｓ０１，Ｙｅｓ）、転送履歴情報Ｉｅとして医用画像Ｐに付帯させる情報を取得する（Ｓ０２）。
【００４１】
転送指示を解析し、転送内容がネットワーク転送であれば、操作日時情報ｅ５３を時計部１３から取得し、操作装置情報ｅ６３とアカウント情報ｅ９３とを書込情報記憶部１２から取得し、転送内容から操作種別情報ｅ７３を生成し、転送指示に含まれる転送先操作情報ｅ８３を取得する。また、転送指示を解析し、転送内容が可搬記憶媒体Ｄへの出力であれば、操作日時情報ｅ５３を時計部１３から取得し、操作装置情報ｅ６３とアカウント情報ｅ９３とを書込情報記憶部１２から取得し、転送内容から操作種別情報ｅ７３を生成する。
【００４２】
次に、転送指示に含まれている転送させるべき医用画像Ｐを画像記憶部１４から読み出し（Ｓ０３）、Ｓ０２で取得した各情報を転送履歴情報Ｉｅとして書き込み、付帯させる（Ｓ０４）。過去の転送履歴情報Ｉｅが既に存在する場合には、この過去の転送履歴情報Ｉｅに続けて追加する。
【００４３】
転送指示の内容を解析した結果、転送先がネットワーク上の他のデータ通信可能な装置である場合には（Ｓ０５，デバイス）、転送履歴情報Ｉｅを付帯させた医用画像Ｐを転送先の装置へネットワークを介して転送する（Ｓ０６）。転送指示の内容を解析した結果、転送先がネットワーク上の他のデータ通信可能な装置である場合には（Ｓ０５，可搬記憶媒体）、転送履歴情報Ｉｅを付帯させた医用画像Ｐを可搬記憶媒体読書き装置１６に挿入された可搬記憶媒体へ出力する（Ｓ０７）。
【００４４】
図５は、本実施形態の画像転送装置１を組み込んだ病院内ネットワークの一例を示す図である。図５に示す病院内ネットワークＮａには、画像診断装置１００、画像管理サーバ２００、及び画像表示ネットワークＮｂ上の画像表示装置３００ａ，３００ｂ，３００ｃ・・・（以下、特定する必要がない限り単に「画像表示装置３００」という）が接続されている。画像診断装置１００、画像管理サーバ２００、画像表示装置３００は、それぞれ画像転送装置１を備える。
【００４５】
図６は、画像転送装置１を備える画像診断装置１００を示すブロック図である。画像診断装置１００は、Ｘ線診断装置、ＣＴ装置、ＭＲＩ装置、超音波診断装置等の被検体内を撮影して医用画像Ｐを作成する装置である。画像診断装置１００は、医用画像Ｐを撮影する撮影部１０１と、撮影した医用画像Ｐを記憶する画像記憶部１４と、撮影した医用画像Ｐを表示させる表示部１０２と、装置操作者が操作する入力装置１０３と、画像転送装置１を備える。画像記憶部１４は、画像転送装置１と共有している。
【００４６】
画像診断装置１００は、ログイン時に入力装置１０３を用いて装置操作者のアカウントｅ９３を入力させ、画像転送装置１が備える書込情報記憶部１２に記憶させておく。また、入力装置１０３を操作に応じて、撮影部１０１、表示部１０２、又は画像転送装置１を制御する。入力装置１０３を用いて医用画像Ｐの転送が指示された場合には、画像転送装置１を制御する。
【００４７】
画像転送装置１は、書込情報記憶部１２から画像診断装置１００を示す装置情報ｅ６３とログイン時に入力されたアカウントｅ９３を読み出し、時計部１３から日時情報ｅ５３を読み出し、転送指示内容から転送種別情報ｅ７３と転送先装置情報ｅ８３を生成し、画像記憶部１４から読み出した転送する医用画像Ｐにこれら情報を転送履歴情報Ｉｅとして付帯させる。転送履歴情報Ｉｅを付帯させると、医用画像Ｐを転送先へ転送する。転送種別がネットワーク転送であれば、ネットワークＮａを送出し、転送種別が可搬記憶媒体への出力であれば、可搬記憶媒体読書き装置１６に挿入された可搬記憶媒体へ書き込む。
【００４８】
図７は、画像転送装置１を備える画像管理サーバ２００を示すブロック図である。画像管理サーバ２００は、画像診断装置１００が作成した医用画像Ｐをデータベース化して管理し、画像表示装置３００等のクライアント装置の要求に応じて医用画像Ｐを検索し、該当する医用画像Ｐを転送するファイルサーバである。画像管理サーバ２００は、医用画像Ｐをデータベース化し、管理するＤＢＭＳ（データベースマネージメントシステム）２０１と、医用画像Ｐを記憶する画像記憶部１４と、装置操作者が操作する入力装置２０２と、画像転送装置１を備える。画像記憶部１４は、画像転送装置１と共有している。
【００４９】
画像管理サーバ２００は、クライアント装置からのログイン時にログインしようとする装置操作者のアカウントｅ９３を入力させ、画像転送装置１が備える書込情報記憶部１２に記憶させておく。また、クライアント装置からのリクエストに応じて、ＤＢＭＳ２０１や、画像転送装置１を制御する。リクエスト内容が医用画像Ｐの転送処理である場合には、画像転送装置１を制御する。
【００５０】
画像転送装置１は、書込情報記憶部１２からログインしているクライアント装置を示す装置情報ｅ６３とログイン時に入力されたアカウントｅ９３を読み出し、時計部１３から日時情報ｅ５３を読み出し、転送のリクエスト内容から転送種別情報ｅ７３と転送先装置情報ｅ８３を生成し、画像記憶部１４から読み出した転送する医用画像Ｐにこれら情報を転送履歴情報Ｉｅとして付帯させる。転送履歴情報Ｉｅを付帯させると、医用画像Ｐを転送先へネットワーク転送する。
【００５１】
図８は、画像転送装置１を備える画像表示装置３００を示すブロック図である。画像表示装置３００は、医用画像Ｐを表示する装置である。画像表示装置３００は、医用画像Ｐを表示する表示部３０１と、医用画像Ｐを一時的に保存する画像記憶部１４と、装置操作者が操作する入力装置３０２と、画像転送装置１を備える。画像記憶部１４は、画像転送装置１と共有している。
【００５２】
画像表示装置３００は、ログイン時に入力装置１０３を用いて装置操作者のアカウントｅ９３を入力させ、画像転送装置１が備える書込情報記憶部１２に記憶させておく。また、入力装置３０２を操作に応じて、表示部３０１、画像転送装置１を制御する。入力装置１０３を用いて医用画像Ｐの転送が指示された場合には、画像転送装置１が制御される。また、画像表示装置３００は、医用画像Ｐの表示の際、ネットワーク転送された医用画像Ｐや可搬記憶媒体Ｄに記憶されている医用画像Ｐを画像転送装置１を介して画像記憶部１４に記憶させる。表示部３０１は、画像記憶部１４に記憶された医用画像Ｐを表示する。
【００５３】
画像転送装置１は、書込情報記憶部１２から画像表示装置３００を示す装置情報ｅ６３とログイン時に入力されたアカウントｅ９３を読み出し、時計部１３から日時情報ｅ５３を読み出し、転送指示内容から転送種別情報ｅ７３と転送先装置情報ｅ８３を生成し、画像記憶部１４から読み出した転送する医用画像Ｐにこれら情報を転送履歴情報Ｉｅとして付帯させる。転送履歴情報Ｉｅを付帯させると、医用画像Ｐを転送先へ転送する。転送種別がネットワーク転送であれば、ネットワークＮａを送出し、転送種別が可搬記憶媒体への出力であれば、可搬記憶媒体読書き装置１６に挿入された可搬記憶媒体へ書き込む。
【００５４】
このような病院内ネットワークＮａにおいて、画像管理サーバ２００で管理されている医用画像Ｐのデータ構造について説明する。
【００５５】
図９は、画像管理サーバ２００で管理されている医用画像のデータ構造を示す図である。画像管理サーバ２００で管理されている医用画像Ｐは、画像診断装置１００により作成され、ネットワーク転送又は可搬記憶媒体Ｄを介して転送されたものである。
【００５６】
図９に示すように、画像管理サーバ２００で管理されている医用画像Ｐには、画像診断装置１００から転送されたことを示す転送履歴情報ＩｅＦが付帯している。転送履歴情報ＩｅＦには、操作日時タグｅ５１ｆに対応して、例えば、「２００５年１０月１０日１５時３２分１４秒に転送されたことを示す日時情報ｅ５３ｆが書き込まれる。また、操作装置タグｅ６１ｆに対応して、画像診断装置１００から転送されたことを示す操作装置情報ｅ６３ｆが書き込まれる。転送種別タグｅ７１ｆに対応して、例えば、ネットワーク転送を転送手段として転送されたことを示す転送種別情報ｅ７３ｆが書き込まれる。転送先装置タグｅ８１ｆに対応して、例えば、画像管理サーバ２００に転送したことを示す転送先装置情報ｅ８３ｆが書き込まれる。アカウントタグｅ９１ｆに対応して、例えば画像診断装置１００を操作して転送指示を行った「ＴＯＳＨＩＢＡ＿ＴＡＲＯ」を示すアカウント情報ｅ９３ｆが書き込まれる。
【００５７】
この医用画像Ｐが万一漏洩した場合、画像管理サーバ２００への転送中に漏洩した可能性、又は画像管理サーバ２００に偽装したコンピュータに転送してしまった可能性、漏洩の原因となった操作を行った人物の特定、漏洩した時間帯の特定等の漏洩原因を医用画像Ｐから判断することができる。
【００５８】
図１０は、画像表示装置２００に転送された医用画像Ｐのデータ構造を示す図である。画像表示装置３００に転送された医用画像Ｐは、画像診断装置１００により作成され、さらにネットワーク転送又は可搬記憶媒体Ｄを介して画像管理サーバ２００へ転送されたものである。
【００５９】
図１０に示すように、画像表示装置３００で管理されている医用画像Ｐには、画像診断装置１００から画像管理サーバ２００へ転送されたことを示す転送履歴情報ＩｅＦが付帯している。また、画像管理サーバ２００から画像表示装置３００へ転送されたことを示す転送履歴情報ＩｅＳが追加されている。
【００６０】
転送履歴情報ＩｅＳには、操作日時タグｅ５１ｓに対応して、例えば、「２００５年１０月１２日１３時４２分４３秒」に転送されたことを示す日時情報ｅ５３ｓが書き込まれる。また操作装置タグｅ６１ｓに対応して、例えば、画像表示装置３００ａで画像管理サーバ２００にログインして転送されたことを示す操作装置情報ｅ６３ｓが書き込まれる。転送種別タグｅ７１ｓに対応して、例えば、ネットワーク転送を転送手段として転送されたことを示す転送種別情報ｅ７３ｓが書き込まれる。転送先装置タグｅ８１ｓに対応して、例えば、画像表示装置３００ａに転送したことを示す転送先装置情報ｅ８３ｓが書き込まれる。アカウントタグｅ９１ｓに対応して、例えば、画像表示装置３００ａを操作して画像管理サーバ２００に転送指示を行った「ＴＯＳＩＢＡ＿ＪＩＲＯ」を示すアカウント情報ｅ９３ｆが書き込まれる。
【００６１】
この医用画像Ｐが万一漏洩した場合、画像表示装置３００ａへの転送中に漏洩した可能性、又は画像表示装置３００ａに偽装したコンピュータに転送してしまった可能性、漏洩の原因となった操作を行った人物の特定、漏洩した時間帯の特定等の漏洩原因を医用画像Ｐから判断することができる。
【００６２】
図１１は、画像診断装置３００ａから可搬記憶媒体Ｄに出力された医用画像のデータ構造を示す図である。可搬記憶媒体Ｄに出力された医用画像Ｐは、画像診断装置１００により作成され、さらにネットワーク転送又は可搬記憶媒体Ｄを介して画像管理サーバ２００へ転送され、画像表示装置３００ａで可搬記憶媒体Ｄに出力されたものである。
【００６３】
図１１に示すように、可搬記憶媒体Ｄに記憶されている医用画像Ｐには、画像診断装置１００から画像管理サーバ２００へ転送されたことを示す転送履歴情報ＩｅＦ、画像表示装置３００ａが画像管理サーバ２００へアクセスして画像表示装置３００ａに転送させたことを示す転送履歴情報ＩｅＳが付帯している。また、画像表示装置３００ａから可搬記憶媒体Ｄに出力されたことを示す転送履歴情報ＩｅＴが追加されている。
【００６４】
転送履歴情報ＩｅＴには、操作日時タグｅ５１ｔに対応して、例えば、「２００５年１０月１２日１３時４６分２２秒」に転送されたことを示す日時情報ｅ５３ｔが書き込まれる。また操作装置タグｅ６１ｔに対応して、例えば、画像表示装置３００ａで転送指示されたことを示す操作装置情報ｅ６３ｔが書き込まれる。転送種別タグｅ７１ｔに対応して、例えば、可搬記憶媒体Ｄに出力されたことを示す転送種別情報ｅ７３ｔが書き込まれる。アカウントタグｅ９１ｓに対応して、例えば、画像表示装置３００ａを操作して可搬記憶媒体Ｄに出力した「ＴＯＳＩＢＡ＿ＪＩＲＯ」を示すアカウント情報ｅ９３ｆが書き込まれる。
【００６５】
この医用画像Ｐが万一漏洩した場合、可搬記憶媒体Ｄ自体が外部に漏洩した可能性、漏洩の原因となった操作を行った人物は誰か、いつ漏洩したのか等の漏洩原因を医用画像Ｐから判断することができる。
【００６６】
このように、本実施形態の画像転送装置１は、医用画像Ｐを転送する際に、転送する医用画像Ｐに転送履歴情報Ｉｅを付帯させる。医用画像Ｐが外部に漏洩した場合、漏洩した医用画像Ｐに付帯する転送履歴情報Ｉｅを解析することで、その漏洩経路を簡便に特定することができ、素早い対処、再発防止策の策定を図ることができる。
【図面の簡単な説明】
【００６７】
【図１】本実施形態に係る画像転送装置の構成を示す図である。
【図２】本実施形態に係る画像転送装置で取り扱う医用画像のデータ構造を示す図である。
【図３】医用画像に付帯する転送履歴情報を示す図である。
【図４】画像転送装置の転送処理を示すフローチャート図である。
【図５】本実施形態の画像転送装置が適用した病院内ネットワークの一例を示す図である。
【図６】本実施形態の画像転送装置を備える画像診断装置を示すブロック図である。
【図７】本実施形態の画像転送装置を備える画像管理サーバを示すブロック図である。
【図８】本実施形態の画像転送装置を備える画像表示装置を示すブロック図である。
【図９】画像管理サーバに保管されている医用画像のデータ構造を示す図である。
【図１０】画像表示装置に転送された医用画像のデータ構造を示す図である。
【図１１】可搬記憶媒体に出力された医用画像のデータ構造を示す図である。
【符号の説明】
【００６８】
１    画像転送装置
１０  書込部
１１  書込情報取得部
１２  書込情報記憶部
１３  時計部
１４  画像記憶部
１５  ネットワーク転送部
１６  可搬媒体読書き部
Ｐ    医用画像
ＰＩ  付帯情報
Ｐｄ  画像データ
Ｉａ  患者ＩＤ
Ｉｂ  患者氏名
Ｉｃ  生年月日
Ｉｄ  検査情報
Ｉｅ，ＩｅＦ，ＩｅＳ，ＩｅＴ  転送履歴情報
ｅ２０  要素タグ
ｅ５１  操作日時タグ
ｅ６１  操作装置タグ
ｅ７１  転送種別タグ
ｅ８１  転送先装置タグ
ｅ９１  アカウントタグ
ｅ３０，ｅ５２，ｅ６２，ｅ７２，ｅ８２，ｅ９２  項目長
ｅ５３  操作日時情報
ｅ６３  操作装置情報
ｅ７３  転送種別情報
ｅ８３  転送先装置情報
ｅ９３  アカウント情報
Ｎ，Ｎａ，Ｎｂ  ネットワーク
Ｄ    可搬記憶媒体
１００  画像診断装置
１０１  撮影部
１０２  表示部
１０３  入力装置
２００  画像管理サーバ
２０１  ＤＢＭＳ
２０２  入力装置
３００，３００ａ，３００ｂ，３００ｃ  画像表示装置
３０１  表示部
３０２  入力装置
【図１】
2007141143.tif 000003
【図２】
2007141143.tif 000004
【図３】
2007141143.tif 000005
【図４】
2007141143.tif 000006
【図５】
2007141143.tif 000007
【図６】
2007141143.tif 000008
【図７】
2007141143.tif 000009
【図８】
2007141143.tif 000010
【図９】
2007141143.tif 000011
【図１０】
2007141143.tif 000012
【図１１】
2007141143.tif 000013